(57)【要約】【課題】ディジタルディスク画像記録装置が実行する記録動作、再生動作、通信動作の優先度を使用者が設定し得るとともに、それら三つの動作のうち、少なくとも一つの動作を確実に実行し得るようにする。【解決手段】ハードディスク５と、カメラ９から入力してくる画像データをハードディスク５に書き込む記録動作、ハードディスク５に記録された画像データを読み出してモニタ１０へ出力する再生動作、及び、ネットワーク１１と接続して情報を外部へ送信または情報を外部から受信する通信動作、を制御するＣＰＵ４と、前記記録動作、前記再生動作及び前記通信動作の優先度を設定する入力部７と、を備える。ＣＰＵ４は、前記優先度に基づき、前記記録動作、前記再生動作及び前記通信動作のうち、１つまたは２つの動作を適宜停止して他の動作の制御を実行する。【選択図】    図１
2004215207.tif 000002
【特許請求の範囲】
【請求項１】
ディジタル信号の円盤状記録媒体であるディスクと、
撮像手段から入力してくる画像データを前記ディスクに書き込む記録動作、前記ディスクに記録された画像データを読み出して表示装置へ出力する再生動作、及び、通信網と接続して情報を外部へ送信または情報を外部から受信する通信動作、を制御する制御部と、
前記記録動作、前記再生動作及び前記通信動作の優先度を設定する入力部と、を備え、
前記制御部は、前記優先度に基づき、前記記録動作、前記再生動作及び前記通信動作のうち、１つまたは２つの動作を適宜停止して他の動作の制御を実行する構成としたことを特徴とする、ディジタルディスク画像記録装置。
【請求項２】
ディジタル信号の円盤状記録媒体であるディスクと、
撮像手段から入力してくる画像データを前記ディスクに書き込む記録動作、前記ディスクに記録された画像データを読み出して表示装置へ出力する再生動作、及び、通信網と接続して情報を外部へ送信または情報を外部から受信する通信動作、を制御する制御部と、
前記記録動作、前記再生動作及び前記通信動作の優先度を設定する入力部と、を備え、
前記制御部は、前記優先度に基づき、前記記録動作、前記再生動作及び前記通信動作のうち、少なくとも１つ以上の動作の実行速度を適宜低下させて制御を実行する構成としたことを特徴とする、ディジタルディスク画像記録装置。
【請求項３】
前記通信動作は、前記ディスクから読み出した画像データを外部へ送信する動作、または、外部から受信した画像データを前記ディスクへ書き込む動作のいずれか一方もしくは両方を含む、請求項１記載または請求項２記載のディジタルディスク画像記録装置。
【請求項４】
撮像手段から入力し前記ディスクに書き込まれる該画像データは、画像情報圧縮手段によって圧縮されたデータであり、前記ディスクから読み出されて再生装置へ出力される該画像データは、画像情報伸長手段によって伸長されたデータである、請求項１記載、請求項２記載または請求項３記載のディジタルディスク画像記録装置。
【請求項５】
前記ディスクは、ハードディスクである、請求項１記載、請求項２記載、請求項３記載または請求項４記載のディジタルディスク画像記録装置。
【請求項６】
前記ディスクが具備するヘッドは、読み出し、書込み兼用の一つのヘッドである、請求項１記載、請求項２記載、請求項３記載、請求項４記載または請求項５記載のディジタルディスク画像記録装置。
【発明の詳細な説明】
【０００１】
【発明の属する技術分野】
本発明は、ディジタルディスク画像記録装置に関する。
【０００２】
【従来の技術】
ハードディスク（ＨＤ）のようなディジタルディスクに、画像情報などを記録する、従来のディジタルディスク画像記録装置、いわゆるディジタルディスクレコーダは、特開Ｈ１０−３３６５８７号公報に開示されているように、バッファメモリに対するアクセスサイクルの制御を時間経過とともに、その優先度の割り当てを変化させることにより、メモリの有効利用効率を上げることができるような構成とするものが知られている。
その得られる効果の一つは、現在の画像・音声データを記録しながら、ディスク内部に記録されている画像・音声データを再生することができるようになるものであり、記録を中断せずに、記録済みの画像を再生することができるというものである。
しかし、ディジタルディスク画像記録装置に、ネットワーク（例、電話網、ＬＡＮ、インターネットなど）との通信機能などを設けると、次のような問題点が起き得る。
画像の記録動作、画像の再生動作、ネットワークとの通信動作の三つの動作を同時に、すなわち時分割的に行なうとすると、ディジタルディスク画像記録装置のディジタルディスクへの画像情報の記録、もしくはそのディジタルディスクからの画像情報の読み出しに掛かる負荷が大きくなり過ぎることがある。
特に、その通信動作が、ディジタルディスクから画像情報を読み出す動作、もしくはディジタルディスクへ画像情報を書き込む動作を含むときはそうである。このような場合、ディジタルディスクにおいて、多大な負荷が発生し、初期設定の記録速度も、再生速度も、通信速度も、維持できなくなることがある。
【０００３】
【特許文献１】
特開Ｈ１０−３３６５８７号公報
【０００４】
【発明が解決しようとする課題】
本発明に係るディジタルディスク画像記録装置は、上記問題点に鑑み成されたものであり、次の課題を解決することを目的とする。
ディジタルディスク画像記録装置が実行する主要な三つの動作、すなわち記録動作、再生動作、通信動作の優先度を使用者が設定し得るとともに、それら三つの動作のうち、少なくとも一つの動作を確実に実行し得るディジタルディスク画像記録装置を提供する。
【０００５】
【課題を解決するための手段】
上記課題を解決するための本発明の第１発明は、請求項１に記載されたとおりのディジタルディスク画像記録装置であり、次のようなものである。
ディジタル信号の円盤状記録媒体であるディスクと、撮像手段から入力してくる画像データを前記ディスクに書き込む記録動作、前記ディスクに記録された画像データを読み出して表示装置へ出力する再生動作、及び、通信網と接続して情報を外部へ送信または情報を外部から受信する通信動作、を制御する制御部と、前記記録動作、前記再生動作及び前記通信動作の優先度を設定する入力部と、を備えている。
そして、前記制御部は、前記優先度に基づき、前記記録動作、前記再生動作及び前記通信動作のうち、１つまたは２つの動作を適宜停止して他の動作の制御を実行する構成としたことを特徴とする構成である。
【０００６】
上記課題を解決するための本発明の第２発明は、請求項２に記載されたとおりのディジタルディスク画像記録装置であり、次のようなものである。
ディジタル信号の円盤状記録媒体であるディスクと、撮像手段から入力してくる画像データを前記ディスクに書き込む記録動作、前記ディスクに記録された画像データを読み出して表示装置へ出力する再生動作、及び、通信網と接続して情報を外部へ送信または情報を外部から受信する通信動作、を制御する制御部と、前記記録動作、前記再生動作及び前記通信動作の優先度を設定する入力部と、を備えている。
そして、前記制御部は、前記優先度に基づき、前記記録動作、前記再生動作及び前記通信動作のうち、少なくとも１つ以上の動作の実行速度を適宜低下させて制御を実行する構成としたことを特徴とする構成である。
【０００７】
上記課題を解決するための本発明の第３発明は、請求項３に記載されたとおりのディジタルディスク画像記録装置であり、次のようなものである。
請求項１記載または請求項２記載のディジタルディスク画像記録装置において、前記通信動作は、前記ディスクから読み出した画像データを外部へ送信する動作、または、外部から受信した画像データを前記ディスクへ書き込む動作のいずれか一方もしくは両方を含む構成である。
【０００８】
上記課題を解決するための本発明の第４発明は、請求項４に記載されたとおりのディジタルディスク画像記録装置であり、次のようなものである。
請求項１記載、請求項２記載または請求項３記載のディジタルディスク画像記録装置において、撮像手段から入力し前記ディスクに書き込まれる該画像データは、画像情報圧縮手段によって圧縮されたデータであり、前記ディスクから読み出されて再生装置へ出力される該画像データは、画像情報伸長手段によって伸長されたデータであるものである。
【０００９】
上記課題を解決するための本発明の第５発明は、請求項５に記載されたとおりのディジタルディスク画像記録装置であり、次のようなものである。
請求項１記載、請求項２記載、請求項３記載または請求項４記載のディジタルディスク画像記録装置において、前記ディスクは、ハードディスクであるものである。
【００１０】
上記課題を解決するための本発明の第６発明は、請求項６に記載されたとおりのディジタルディスク画像記録装置であり、次のようなものである。
請求項１記載、請求項２記載、請求項３記載、請求項４記載または請求項５記載のディジタルディスク画像記録装置において、前記ディスクが具備するヘッドは、読み出し、書込み兼用の一つのヘッドであるものである。
【００１１】
【発明の実施の形態】
図１は、本発明に係わるディジタルディスク画像記録装置の実施の一形態を示すブロック図である。
ディジタルディスク画像記録装置１は、画像情報を出力する何らかの手段、例えばカメラ９を配線して使用する。カメラ９は、複数であってもよく、カメラ９もしくは複数のカメラとディジタルディスク画像記録装置１との間には、スイッチャ（切替え装置）を配してもよい。
ディジタルディスク画像記録装置１は、画像データを必ず記録する構成であり、その制御部は、そのような制御を行なうべく、プログラムされる。また、ディジタルディスク画像記録装置１は、画像以外のデータ、代表的には音声データを記録してもよい。その記録した画像データ（画像情報）や音声データを再生するときは、例えばモニタ１０（例、テレビジョン装置）を使う。また、ディジタルディスク画像記録装置１は、ネットワーク１１に接続して、通信相手先と情報のやり取りが可能である。ネットワーク１１は、有線でも無線でもよく、それらが混在していてもよい。ネットワーク１１の典型例は、電話網、ＬＡＮ、インターネットなどである。
ディジタルディスク画像記録装置１は、制御部の中枢要素であるＣＰＵ４と、記録媒体として例えばハードディスク５を具備する。本発明の望ましい実施の形態としては、記録する画像情報のデータ量を考慮すると、圧縮・伸長チップ２を備えさせるべきである。圧縮・伸長チップ２は、例えばＪｐｅｇ規格のそれを使用する。もちろん、圧縮・伸長チップ２を使わない実施の形態も可能である。なお、圧縮・伸長チップ２は、データ記録用の圧縮チップとデータ再生用の伸長チップとを別々に用意してもよい。
カメラ９が出力する画像データは、圧縮・伸長チップ２で圧縮され、ＣＰＵ４に取り込まれてハードディスク５に記録される。カメラ９からハードディスク５までの間の適当な箇所、例えば、ＣＰＵ４の前段もしくは後段に、記録用バッファメモリ３を設けると便宜である。記録用バッファメモリ３を設けると、記録用バッファメモリ３から画像データを受け取り可能になる直前まで、ＣＰＵ４は、他の動作を行なうことができる。すなわち、ＣＰＵ４は、画像データが蓄積されるのをただ何もせずに待っている必要がないので、ＣＰＵ４を効率的に使うことができる。
同様に、ハードディスク５からモニタ１０までの間の適当な箇所に、再生用バッファメモリ６を設けると、ＣＰＵ４に掛かる負荷が軽くなって、便宜である。本発明に使用するディジタルディスクは、円盤状記録媒体であれば、何でもよく、例えば光ディスクでもよい。もちろん、図示しているようにハードディスクでもよい。ハードディスクは、再生用のヘッドと記録用のベッドを別々に備えている言わば高級機タイプのものでもよく、再生と記録兼用のヘッド（図示せず）を１個備えている安価なタイプのものでもよい。本発明では、後述するように、ＣＰＵ４の実行動作に優先度を設けるので、再生と記録兼用のヘッドを１個備えている安価なタイプのハードディスクでも本発明が実施可能である。
ＣＰＵ４の周辺には、ＲＯＭ、ＲＡＭ、Ｉ／Ｏなどの各素子が配置されているが、図示しない。
入力部７は、優先度設定のためのスイッチないしボタンであり、使用者が入力する優先度に関する情報をＣＰＵ４へ出力する。表示部８は、必須ではないが、その優先度に関する情報を表示するために設けておくと便宜である。
ＣＰＵ４がその制御動作において、優先度を定める動作は、次の三つである。
画像データをハードディスク５に書き込む記録動作、ハードディスク５に記録された画像データを読み出してモニタ１０へ出力する再生動作、及びネットワーク１１と接続して情報を外部へ送信または情報を外部から受信する通信動作、である。
なお、ハードディスク５に蓄積された画像データの再生先は、ディジタルディスク画像記録再生装置１に設けた表示部８であってもよい。
ディジタルディスク画像記録再生装置１の使用者ないし業者は、入力部７でもって、これら三つの動作の優先実行順序を設定することができる。もし、使用者が優先度を設定しないときは、所定の優先度が自動的に選択される。
例えば、図１のように幾つかの優先度順を示すボタンを設けておき、紙面に向かって左から２番目の「記録→通信→再生」ボタンを押すと、ＣＰＵ４は、その優先度を記憶するとともに、その設定された優先度に従って、ディジタルディスク画像記録装置１の各部の制御を行なう。
なお、表示部８に、その設定された優先度、今の場合「記録→通信→再生」を表示してもよく、表示しなくてもよい。
このように、「記録→通信→再生」という優先度が使用者によって入力部７でもって設定されたのであるなら、ＣＰＵ４は、ハードディスク５への画像情報の記録動作だけは、初期設定の実行速度を守って中断することなく必ず実行する。もし、記録動作が中断もしくは実行速度が遅くなりそうなら、再生動作を停止する。それでも、記録動作が中断しそうになるなら、通信動作をも停止する。
なお、最優先の動作を、その初期設定実行速度で実行可能であるなら、優先度の低い動作を完全に停止するのではなく、その実行速度を下げるＣＰＵ４の制御方式でもよい。
「記録→通信→再生」という優先度が使用者によって入力部７でもって設定されたのであるなら、ＣＰＵ４は、ハードディスク５への画像情報の記録動作だけは、初期設定の実行速度を守って中断することなく必ず実行する。もし、記録動作が中断もしくは実行速度が遅くなりそうなら、再生動作の実行速度を下げる。それでも、記録動作が中断しそうになるなら、通信動作の実行速度を下げる。
もし、使用者が記録動作の優先度はそのままで、しかも、通信動作や再生動作の中断を望まないときは、記録動作の初期設定実行速度を下げればよい。図２のように実行速度自動調節ボタン７ａを押すと、ＣＰＵ４の最優先の動作の初期設定実行速度を自動的に調節するようにしてもよい。
【００１２】
図２は、本発明に係わるディジタルディスク画像記録装置の別の実施の一形態を示すブロック図である。
ディジタルディスク画像記録装置１のＣＰＵ４が行なう通信動作は、通信相手先（図示せず）からネットワーク１１を経て呼び出されて行なう情報の送受信動作、もしくは、ＣＰＵ４がネットワーク１１に接続して、通信相手先にアクセスして、情報を送信もしくは送受信する動作である。ディジタルディスク画像記録装置１がネットワーク１１を介して通信する情報には、画像情報が含まれていてもいなくてもよい。もちろん、その通信動作は、ハードディスク５に蓄積されている画像情報をネットワーク１１を介して通信相手先へ送信する動作または通信相手先が送信する画像情報をネットーク１１を介して受信しハードディスク５に格納する動作を含んでいてもよい。
なお、入力部７には、実行速度自動調節ボタン７ａを設けても良い。
図３は、実行速度自動調整の一例を示すブロック図である。
入力部７で設定した優先度の初期設定が、図２の表示部８及び図３に示されるように、記録、再生、通信の順であるとし、また、図３に示すような各実行速度であるとする。そして、実行速度自動調節ボタン７ａが押されたものとする。すると、ＣＰＵ４は、再生動作及び通信動作を実行しながら、６０フレーム／秒という記録動作の初期設定の実行速度を守ろうとする。もし、６０フレーム／秒という記録動作の初期設定の実行速度を守るために必要と判断するなら、ＣＰＵ４は、例えば、再生動作の実行速度を初期設定値の半分にしたり、通信速度の実行速度を初期設定値の１／４にしたりする。
このようにして、ＣＰＵ４は、優先度の高い動作の初期設定の実行速度を守りながら、他の優先度の低い動作の実行速度を低下させる。
なお、ＣＰＵ４は、最も優先度の低い通信動作の実行速度を低下させるだけで、記録動作及び再生動作の初期設定実行速度を守れるなら、そのような制御を実行する構成としてもよい。
【００１３】
【発明の効果】
本発明に係るディジタルディスク画像記録装置は、以上説明してきたような構成であるので、以下に記載する効果を奏する。
ディジタルディスク画像記録装置が実行する主要な三つの動作、すなわち記録動作、再生動作、通信動作の優先度を使用者もしくは業者がその入力部にて設定し得る構成とした。そして、それら三つの動作のうち、最優先でない１つしくは２つの動作を適宜停止したり、その実行速度を適宜低下させたりすることによって、ディジタルディスクに掛かる過重な負荷を提言し、優先度が最も高い動作を、確実に実行し得るディジタルディスク画像記録装置を提供することが可能である。
【図面の簡単な説明】
【図１】本発明に係わるディジタルディスク画像記録装置の実施の一形態を示すブロック図である。
【図２】本発明に係わるディジタルディスク画像記録装置の別の実施の一形態を示すブロック図である。
【図３】実行速度自動調整の一例を示すブロック図である。
【符号の説明】
１  ディジタルディスク画像記録装置
２  圧縮・伸長チップ
３  記録用バッファメモリ
４  ＣＰＵ
５  ハードディスク
６  再生用バッファメモリ
７  入力部
７ａ  実行速度自動調節ボタン
８  表示部
９  カメラ
１０  モニタ
１１  ネットワーク
【図１】
2004215207.tif 000003
【図２】
2004215207.tif 000004
【図３】
2004215207.tif 000005